【手続補正書】
【提出日】平成18年1月4日(2006.1.4)
【手続補正１】
【補正対象書類名】明細書
【補正対象項目名】特許請求の範囲
【補正方法】変更
【補正の内容】
【特許請求の範囲】
【請求項１】  メルト押出し性熱可塑性エラストマーを含むエラストマー層と、メルト押出し性分解性ポリマーを含む分解性層とを含有する、複数の同時押出しされたマイクロ層を含むことを特徴とする、多重マイクロ層ポリマーフィルム。
【請求項２】  該分解性ポリマーが、ポリエチレンオキシド、ポリエチレンオキシドとポリプロピレンオキシドとのコポリマー、水分散性エチレンオキシドコポリマー、ポリエチレンオキシドの水分散性ブレンド、水分解性グレードのポリビニルアルコール、ポリ(ビニルピロリドン)、ポリエチルオキサゾリン、水分解性分岐ポリエステルおよびコポリマー、水分散性ポリウレタン、水分解性アクリル酸ベースコポリマー、水分散性ポリビニルメチルエーテル、メチルセルロース、ヒドロキシプロピルセルロース、ポリ乳酸-ポリ(エチレンオキシド)ブロックコポリマー、メチル化ヒドロキシプロピルセルロース、ヒドロキシプロピルメチルセルロース、エチルセルロース、ポリカプロラクトン、ポリブチレンサクシネート、ポリ(ブチレンサクシネート-アジペート)、ポリ(乳酸)、ポリヒドロキシブチレート-コ-バレレート、ポリエチレンアジペート、ポリプロピレンサクシネート、またはこれらの混合物から選択される、請求項１記載の多重マイクロ層フィルム。
【請求項３】  該熱可塑性エラストマーが、メタロセン低密度ポリエチレン、エラストマーポリウレタン、エチレン-オクテンコポリマー、ポリエステルポリウレタン、天然ゴム、ニトリルゴム、ブチルゴム、エチレン-プロピレンターポリマー、シリコーンゴム、ポリウレタンゴム、熱可塑性ゴム、ポリアミド-ポリエーテルブロックコポリマー、スチレン系ブロックコポリマー、エラストマーブロックコポリマー、ポリエチレンオキシドとポリブチレンテレフタレートとのコポリマー、エラストマーポリプロピレン、またはこれらの混合物から選択される、請求項１記載の多重マイクロ層フィルム。
【請求項４】  該分解性ポリマーマイクロ層及び該熱可塑性エラストマーマイクロ層の少なくとも１つが、更にフィラー材料、界面活性剤、発泡剤またはこれらの混合物から選択される、付随的な物質をも含む、請求項１記載の多重マイクロ層フィルム。
【請求項５】  該フィラー材料が、金属酸化物、金属水酸化物、金属炭酸塩、金属硫酸塩、炭酸カルシウム、クレー、アルミナ、二酸化チタン、ゴム粉末、ゴムエマルション、パルプ粉末、木材粉末、キトサン粉末、アクリル酸粉末、またはこれらの混合物から選択される粒状物質である、請求項４記載の多重マイクロ層フィルム。
【請求項６】  各マイクロ層が、約500 A〜約1.0μなる厚みをもつ、請求項１記載の多重マイクロ層フィルム。
【請求項７】  該多重マイクロ層フィルムが、約5ミル未満の厚みをもつ、請求項１記載の多重マイクロ層フィルム。
【請求項８】  更に、該エラストマー層と該分解性層との間に、これらと積層された束縛層を含み、該束縛層がメルト押出し性のポリマーを含む、請求項１記載の多重マイクロ層フィルム。
【請求項９】  該束縛層が、エチレンアクリル酸コポリマー、熱可塑性ポリエステル、ポリアルカン-ポリ(エチレンオキシド)ブロックコポリマー、イオノマー樹脂、およびポリ(ビニルアルコール)ブロックコポリマーからなる群から選択されるポリマーを含む、請求項８記載の多重マイクロ層フィルム。
【請求項１０】  該複数の同時押出しされたマイクロ層が、エラストマーメルト押出し性ポリマーを含む複数のエラストマー層と、分解性メルト押出し性ポリマーを含む複数の分解性層とを含み、該複数のエラストマー層および複数の分解性層が、一連の平行な繰り返し積層単位として配列され、各積層単位が、少なくとも一つの該分解性層と、少なくとも一つの該エラストマー層を含む、請求項１記載の多重マイクロ層フィルム。
【請求項１１】  該多重マイクロ層フィルムが、約8〜約17,000層のマイクロ層を含む、請求項１又は１０記載の多重マイクロ層フィルム。
【請求項１２】  該多重マイクロ層フィルムが、約50 MPa未満の引張り弾性率をもつ、請求項１記載の多重マイクロ層フィルム。
【請求項１３】  一群の吸収性材料と、該一群の吸収性材料に取り付けられた、請求項1記載のマイクロ層ポリマーフィルムを含むことを特徴とする、パーソナルケアー用品又は創傷手当て用品。
【請求項１４】  該パーソナルケアー用品が、オムツ、成人失禁用製品、女性の手当て用吸収性製品、またはトレーニングパンツから選択される、請求項１３記載のパーソナルケアー用品又は創傷手当て用品。
【請求項１５】  請求項１記載のマイクロ層ポリマーフィルムを含むことを特徴とする、使い捨て衣料。
【請求項１６】  多重マイクロ層ポリマーフィルムの製法であって、
メルト押出し性熱可塑性エラストマーおよびメルト押出し性分解性ポリマーを同時押出しして、該メルト押出し性熱可塑性エラストマーを含む第一層と、該メルト押出し性分解性ポリマーを含む第二層とを含む積層体を形成し、該メルト押出し性熱可塑性エラストマーが、第一の水蒸気透過度を有し、かつ該メルト押出し性分解性ポリマーが、該第一の水蒸気透過度よりも低い第二の水蒸気透過度をもち、
該積層体を分離し、一方で該積層体はメルト押出し可能な状態にあって、一対の積層体の部分を形成し、該部分各々は該第一層の一部および該第二層の一部を含み、
該積層体の部分を薄化し、かつ幅を広げ、
該積層体の部分を相互に積重ねて、平行な堆積配列状態にある複数の繰り返し積層単位を含むように、該積層体を再度形成し、各積層単位は、該メルト押出し性熱可塑性エラストマーを含む第一の層と、該メルト押出し性分解性ポリマーを含む第二の層とを含み、および
該分離、薄化および幅の拡大、および堆積工程を繰り返して、該積層体を成形して、該マイクロ層ポリマーフィルムとする、
各工程を含むことを特徴とする、上記方法。
【請求項１７】  更に、該マイクロ層フィルムを延伸する工程をも含む、請求項１６記載の方法。
【請求項１８】  該熱可塑性エラストマーが、メタロセン低密度ポリエチレン、エラストマーポリウレタン、エチレン-オクテンコポリマー、ポリエステルポリウレタン、天然ゴム、ニトリルゴム、ブチルゴム、エチレン-プロピレンターポリマー、シリコーンゴム、ポリウレタンゴム、熱可塑性ゴム、ポリアミド-ポリエーテルブロックコポリマー、スチレン系ブロックコポリマー、エラストマーブロックコポリマー、ポリエチレンオキシドとポリブチレンテレフタレートとのコポリマー、エラストマーポリプロピレン、またはこれらの混合物から選択される、請求項１６記載の方法。
【請求項１９】  該分解性ポリマーが、ポリエチレンオキシド、ポリエチレンオキシドとポリプロピレンオキシドとのコポリマー、水分散性エチレンオキシドコポリマー、ポリエチレンオキシドの水分散性ブレンド、水分解性グレードのポリビニルアルコール、ポリ(ビニルピロリドン)ポリエチルオキサゾリン、水分解性分岐ポリエステルおよびコポリマー、水分散性ポリウレタン、水分解性アクリル酸ベースコポリマー、水分散性ポリビニルメチルエーテル、メチルセルロース、ヒドロキシプロピルセルロース、ポリ乳酸-ポリ(エチレンオキシド)ブロックコポリマー、メチル化ヒドロキシプロピルセルロース、ヒドロキシプロピルメチルセルロース、エチルセルロース、ポリカプロラクトン、ポリブチレンサクシネート、ポリ(ブチレンサクシネート-アジペート)、ポリ(乳酸)、ポリヒドロキシブチレート-コ-バレレート、ポリエチレンアジペート、ポリプロピレンサクシネート、またはこれらの混合物から選択される、請求項１８記載の方法。
【請求項２０】  更に、該同時押出し工程前に、該第二のポリマー中に粒状フィラーを分散させる工程をも含む、請求項１６記載の方法。
【手続補正２】
【補正対象書類名】明細書
【補正対象項目名】０００２
【補正方法】変更
【補正の内容】
【０００２】
【背景技術】
分解性ポリマーは、様々な異なる用途において、広く利用されている。これらポリマーは、多くの異なる水分散性の熱成形性物品、例えば繊維、フィルムおよび織物において使用され、これらは、使用に際して、その保全性および強度を維持するが、多量の水との接触状態に置かれた場合に、溶解し、かつ分散する。これら繊維、フィルムおよび織物は、パーソナルケアー用品(personal care item:個人手当て用品)、オムツ、女性用ナプキン、ワイプ(wipes)、失禁用品、剥離ライナー、製品包装材等の製品において使用され、これら製品は、上記の繊維、フィルムおよび織物を含んでいる。
水分解性または生分解性ポリマーの層を有する、多層フィルムから作られた物品が知られている。その他の層は、典型的には、使用中に該分解性ポリマー層に、構造上の支持体を提供し、かつ液体バリヤを与えて、該物品の早期分解を防止するポリマーである。